(57)【特許請求の範囲】
【請求項１】
昇降するラムが挿入された油圧シリンダと、油圧シリンダから上方へ延出し上部には夫々顎部を備えた左右一対の支持壁と、一対の支持壁の上部間を架橋するように顎部に着脱自在に係合されるダイスゲートとを具備する油圧圧縮機の本体と、前記一対の支持壁間に上方から落とし込むように前記ラム上に装着される型溝を有する下部ダイスと、前記一対の支持壁間に上方から落とし込むように前記下部ダイスの上方に装着され前記ダイスゲートで固定される型溝を有する上部ダイスとを具備する油圧圧縮機において、前記ダイスゲートを取り外した状態で、前記一対の支持壁間に前記下部ダイスと上部ダイスを着脱操作するための装置であって、それぞれ油圧圧縮機の本体に移動自由に結合される下部ダイス操作装置と上部ダイス操作装置とを具備し、
前記下部ダイス操作装置は、下部ダイスの底面に接して当該下部ダイスを載せ受けるベースプレートと、このベースプレート上に下部ダイスを結束できるようにベースプレートに係止されたベルトと、このベルトを締め付けるためのバックルと、このバックルに結合された取手とを具備することを特徴とする油圧圧縮機のダイス操作装置。
【請求項２】
昇降するラムが挿入された油圧シリンダと、油圧シリンダから上方へ延出し上部には夫々顎部を備えた左右一対の支持壁と、一対の支持壁の上部間を架橋するように顎部に着脱自在に係合されるダイスゲートとを具備する油圧圧縮機の本体と、前記一対の支持壁間に上方から落とし込むように前記ラム上に装着される型溝を有する下部ダイスと、前記一対の支持壁間に上方から落とし込むように前記下部ダイスの上方に装着され前記ダイスゲートで固定される型溝を有する上部ダイスとを具備する油圧圧縮機において、前記ダイスゲートを取り外した状態で、前記一対の支持壁間に前記下部ダイスと上部ダイスを着脱操作するための装置であって、それぞれ油圧圧縮機の本体に移動自由に結合される下部ダイス操作装置と上部ダイス操作装置とを具備し、
前記上部ダイス操作装置は、上部ダイスの上面に当接可能な当接面を有する押圧プレートと、中間部においてこの押圧プレートに係合し当接面に対して直角に相対移動自在で先端部間に上部ダイスを挟持できるように互いに開閉自在に枢支された左右一対のアームと、このアームの先端部間を閉じる方向に付勢する挟持ばねと、前記アームに対し前記当接プレートをアームの先端方向へ付勢することにより前記当接プレートを上部ダイスの上面に圧接させる圧接ばねとを具備し、
前記一対のアームは、前記上部ダイスの型溝の両端部に挿入されるように相互対向方向に延出する係合部を先端部に有し、上部ダイスを挟持して持ち上げるためのハンドルを基端側に有することを特徴とする油圧圧縮機のダイス操作装置。
【請求項３】
昇降するラムが挿入された油圧シリンダと、油圧シリンダから上方へ延出し上部には夫々顎部を備えた左右一対の支持壁と、一対の支持壁の上部間を架橋するように顎部に着脱自在に係合されるダイスゲートとを具備する油圧圧縮機の本体と、前記一対の支持壁間に上方から落とし込むように前記ラム上に装着される型溝を有する下部ダイスと、前記一対の支持壁間に上方から落とし込むように前記下部ダイスの上方に装着され前記ダイスゲートで固定される型溝を有する上部ダイスとを具備する油圧圧縮機において、前記ダイスゲートを取り外した状態で、前記一対の支持壁間に前記下部ダイスと上部ダイスを着脱操作するための装置であって、それぞれ油圧圧縮機の本体に移動自由に結合される下部ダイス操作装置と上部ダイス操作装置とを具備し、
前記下部ダイス操作装置は、下部ダイスの底面に接して当該下部ダイスを載せ受けるベースプレートと、このベースプレート上に下部ダイスを結束できるようにベースプレートに係止されたベルトと、このベルトを締め付けるためのバックルと、このバックルに結合された取手とを具備し、
前記上部ダイス操作装置は、上部ダイスの上面に当接可能な当接面を有する押圧プレートと、中間部においてこの押圧プレートに係合し当接面に対して直角に相対移動自在で先端部間に上部ダイスを挟持できるように互いに開閉自在に枢支された左右一対のアームと、このアームの先端部間を閉じる方向に付勢する挟持ばねと、前記アームに対し前記当接プレートをアームの先端方向へ付勢することにより前記当接プレートを上部ダイスの上面に圧接させる圧接ばねとを具備し、
前記一対のアームは、前記上部ダイスの型溝の両端部に挿入されるように相互対向方向に延出する係合部を先端部に有し、上部ダイスを挟持して持ち上げるためのハンドルを基端側に有することを特徴とする油圧圧縮機のダイス操作装置。
【請求項４】
前記押圧プレートは、前記一対のアームを貫通させる一対のガイド孔を有し、このガイド孔は、アームの先端側を開閉動作可能とし、かつアームを前記当接面に対して直角方向に相対移動自在とする形状に構成され、各アームに被挿された圧接ばねによりアームの先端方向へ付勢され、
前記一対のアームは、中間部において両アーム間に延びる連結杆の両端に枢支され、連結杆より先端側において両アーム間に架設された前記挟持ばねにより先端部間を閉じる方向に付勢されることを特徴とする請求項２又は３に記載の油圧圧縮機のダイス操作装置。
【請求項５】
前記押圧プレートは、当接面を前記上部ダイスの上面に当接させたときに当該上部ダイスの対向両側面に沿うように、前記当接面から直角に突出した一対のガイド突片を具備することを特徴とする請求項２又は３に記載の油圧圧縮機のダイス操作装置。
【発明の詳細な説明】
【技術分野】
【０００１】
この発明は、電線接続用のアルミスリーブを圧縮するための油圧圧縮機におけるダイスを圧縮機本体に対して着脱操作するための操作装置に関する。
【背景技術】
【０００２】
電線接続用の油圧圧縮機として、例えば特許文献１に記載されたものが知られている。この油圧圧縮機は、圧縮機の本体とこれに装着される上下一対のダイスとを具備する。圧縮機の本体は、下部に油圧シリンダを備えている。油圧シリンダから、その側壁の一部が一体に上方へ延出する形で、左右に対向する一対の支持壁が設けられる。支持壁は、上部に夫々内側へ突出した顎部を備える。油圧シリンダに挿入されているラムの上には、上方から両支持壁間へ落とし込むように下部ダイスが装着される。下部ダイスは、支持壁にガイドされてラムにより昇降自在である。上部ダイスは、同じく両支持壁間へ上方から落とし込むように装着され、下部ダイスの上方に配置される。ダイスゲートが、支持壁の顎部に係合するように、上部ダイスの上に装着され、支持壁間を架橋する。ダイスゲートは、上部ダイスの上面に当接して、これを支持壁間に固定する。下部ダイスの上面側および上部ダイスの下面側には、それぞれ電線接続用のアルミスリーブを圧縮成形するための型溝を備える。
【特許文献１】特開平９−０１４２１１号公報
【発明の開示】
【発明が解決しようとする課題】
【０００３】
上記従来の油圧圧縮機において、ダイスの装着、取り外しの操作は、ダイスを直接手で掴んで行われている。ところが、ダイスは掴みにくいうえに比較的大重量であるため、手から滑り落ちやすい。高所での作業中にダイスを落下させると人身事故につながるおそれがある。
したがって、この出願に係る発明は、油圧圧縮機の本体に対するダイスの装着、取り外しの操作を、ダイスを落下させることがないように安全に行うことができる操作装置を提供することを課題としている。
【課題を解決するための手段】
【０００４】
上記課題を解決するため、この出願に係る発明においては、それぞれ油圧圧縮機３１の本体３２に移動自由に結合される下部ダイス操作装置１と上部ダイス操作装置２とを具備させて油圧圧縮機のダイス操作装置を構成する。下部ダイス操作装置１には、下部ダイス３３の底面に接して当該下部ダイス３３を載せ受けるベースプレート５と、このベースプレート５上に下部ダイス３３を結束できるようにベースプレート５に係止されたベルト６と、このベルト６を締め付けるためのバックル７と、このバックル７に結合された取手８とを具備させる。
上部ダイス操作装置２には、上部ダイス３４の上面に当接可能な当接面９ａを有する押圧プレート９と、中間部においてこの押圧プレート９に係合し当接面９ａに対して直角方向に相対移動自在で先端部間に上部ダイス３４を挟持できるように互いに開閉自在に枢支された左右一対のアーム１０，１１と、このアーム１０，１１の先端部間を閉じる方向に付勢する挟持ばね１２と、アーム１０，１１に対し当接プレート９をアーム１０，１１の先端方向へ付勢することにより、当接プレート９を上部ダイス３４の上面に圧接させる圧接ばね１３とを具備させ、一対のアーム１０，１１には、上部ダイス３４の型溝３４ａの両端部に挿入されるように相互対向方向に延出する係合部１０ｂ、１１ｂを先端部に設け、上部ダイス３４を挟持して持ち上げるためのハンドル１５を基端側に設けることができる。
【発明の効果】
【０００５】
この出願に係る発明の装置によれば、油圧圧縮機の本体に対するダイスの装着、取り外しの操作を、ダイスを落下させることがないように安全に行うことができる。
【発明を実施するための最良の形態】
【０００６】
図面を参照してこの発明の実施の形態を説明する。図１は油圧圧縮機とこれに接続されたダイス操作装置の正面図、図２は下部ダイス操作装置の正面図、図３は下部ダイス操作装置の側面図、図４は下部ダイス操作装置の使用状態の斜視図、図５は上部ダイス操作装置の正面図、図６は上部ダイス操作装置の斜視図である。
【０００７】
油圧圧縮機３１は、圧縮機の本体３２と、これに装着される上下一対のダイス３３，３４とを具備する。圧縮機の本体３２は、下部に油圧シリンダ３５を備えている。油圧シリンダから、その側壁の一部が一体に上方へ延出する形で、左右に対向する一対の支持壁３６が設けられる。支持壁３６は、上部に夫々内側へ突出した顎部３７を備える。油圧シリンダ３５に挿入されているラム（図示せず）の上には、両支持壁３６間へ上方から落とし込むように下部ダイス３３が装着される。下部ダイス３３は、支持壁３６にガイドされてラムにより昇降自在である。上部ダイス３４は、同じく両支持壁３６間へ上方から落とし込むように装着され、下部ダイス３３の上方に配置される。ダイスゲート３８が、支持壁の顎部３７に係合するように、装着済み上部ダイス３４の上に装着され、支持壁３６間を架橋する。ダイスゲート３８は、上部ダイス３３の上面に当接して、これを支持壁間３６に固定する。下部ダイス３３の上面側および上部ダイス３４の下面側には、それぞれ電線接続用のアルミスリーブを圧縮成形するための型溝３３ａ，３４ａを備える。
【０００８】
下部ダイス操作装置１と上部ダイス操作装置２は、圧縮機３１のダイスゲート３８を取り外した状態で、一対の支持壁３６間に下部ダイス３３と上部ダイス３４を着脱操作するための装置であり、それぞれ油圧圧縮機の本体３２に、ワイヤ３，４により、所定範囲で移動自由に結合される。
【０００９】
下部ダイス操作装置１は、下部ダイス３３の底面に接して当該下部ダイス３３を載せ受けるベースプレート５と、このベースプレート５上に下部ダイス３３を結束できるようにベースプレート５に係止されたベルト６と、このベルト６を締め付けるためのバックル７と、このバックル７に結合された取手８とを具備する。
【００１０】
下部ダイス操作装置１は、下部ダイス３３を抱持した状態で、これを油圧圧縮機の本体３２に対して装着、取り外し操作することができる。下部ダイス３３は、ベースプレート５に載せたまま、すなわち下部ダイス３３とラムとの間にベースプレート５を挟んだまま、油圧圧縮機の本体３２に装着される。装着後、ベルト６による結束を解いてベルト６の両端部を下部ダイス３３の両側に垂れ下がった状態とする。この状態で、圧縮動作に支障は生じない。圧縮作業が完了して下部ダイス３３を油圧圧縮機の本体３２から取り外すときには、再びベルト６で下部ダイス３３を結束し、取手８を握って操作することができる。なわち、下部ダイス３３を油圧圧縮機の本体３２から取り外した状態においては、常に下部ダイス３３と油圧圧縮機の本体３２とが、下部ダイス操作装置１を介して結合されることになるから、高所での作業中に誤って下部ダイス３３を落下させるおそれがない。
【００１１】
上部ダイス操作装置２は、押圧プレート９と、左右一対のアーム１０，１１と、挟持ばね１２と、圧接ばね１３とを具備する。
押圧プレート９は、平板状で、上部ダイス３４の上面に当接可能な当接面９aとその反対側の上面９bとを有し、両面間に貫通する一対のガイド孔９ｃを備える。当接面９ａは、それを上部ダイス３４の上面に当接させたときに当該上部ダイス３４の対向両側面に沿うように、当接面９ａから直角に突出した一対のガイド突片９ｄが設けられる。
【００１２】
左右一対のアーム１０，１１は、互いにほぼ並行して延びる直線部１０ａ，１１aと、上部ダイス３４の型溝３４aの両端部に挿入されるように直線部１０a，１１aの先端部から直角に相互対向方向に延出する係合部１０ｂ，１１ｂとを有する。アーム１０の基端側には、他方のアーム１１に向かって伸びる筒状部１０ｃが設けられる。他方のアーム１１の基端側には、直線部１１aからほぼ直角に屈曲してアーム１０側へ延びる支持杆部１１ｃが設けられる。支持杆部１１ｃの先端部は、アーム１０の筒状部１０ｃ内に所定範囲で移動自在に受け入れられ、アーム１０，１１の回転面が歪まないようにガイドされる。支持杆部１１ｃには、上部ダイス３４を挟持して持ち上げるためのハンドル１５が設けられる。アーム１０，１１は、直線部１０a，１１aにおいて押圧プレート９のガイド孔９ｃを自在に貫通しており、当接面９aに対して直角方向に相対移動自在である。また、アーム１０，１１は、リンクプレート１４を介して互いに枢支され、ガイド孔９ｃの範囲で互いに係合部１０ｂ，１１ｂを接近または離反させることができ、それによって上部ダイス３４を挟持できる。
【００１３】
挟持ばね１２は、リンクプレート１４の下方においてアーム１０，１１間に掛けられ、アーム１０，１１の先端部間を閉じる方向に付勢する。圧接ばね１３は、アーム１０，１１に被挿係止され、当接プレート９をアーム１０，１１の先端方向へ付勢することにより、当接プレート９を上部ダイス３４の上面に圧接させる。
【００１４】
上部ダイス操作装置２で上部ダイス３４を保持するときには、上部ダイス３４の幅より大きくアーム１０，１１の先端部間を挟持ばね１２に抗して拡開し、当接面９ａを上部ダイス３４の上面に当接させると共に、ガイド突片９ｄを上部ダイス３４の両側面に沿わせ、押圧ばね１３を圧縮するようにアーム１０，１１を押し下げ、係合部１０ｂ，１１ｂを上部ダイス３４の型溝３４ａに合わせ、挟持ばね１２の力でアーム１０，１１の先端部間を閉じる。係合部１０ｂ，１１ｂが型溝３４ａに係合し、またダイス３４の上下、左右がばね１２，１３で弾性的に保持されるから、転倒させてもダイス３４が操作装置２から離脱することがない。ハンドル１５を持ってダイス操作装置２と一体に上部ダイス３４を移動操作することができる。すなわち、上部ダイス３４を油圧圧縮機の本体３２から取り外した状態においては、常に上部ダイス３４と油圧圧縮機の本体３２とが、上部ダイス操作装置２を介して結合されることになるから、高所での作業中に誤って上部ダイス３４を落下させるおそれがない。
【００１５】
電線の圧縮接続作業は、まず下部ダイス操作装置１に抱持された下部ダイス３３を一体に油圧圧縮機の本体３２に装着し、ベルト６を外した後、接続用スリーブに挿入した電線を下部ダイス３３の型溝３３ａ上に配置する。次いで、上部ダイス操作装置２で把持した上部ダイス３４を油圧圧縮機の本体３２に装着し、上部ダイス操作装置２を外した後、上部ダイス３４の上にダイスゲート３８を装着する。油圧圧縮機３２に圧縮動作を行わせ、圧縮作業が完了したら、ダイスゲート３８を外し、ダイス操作装置２を用いて上部ダイス３４を外し、電線を取り出す。以上の圧縮接続作業中、ダイス３３，３４の移動操作は常に油圧圧縮機の本体３２に接続されたダイス操作装置２，３と一体に行われるから、作業中に誤ってダイス３３，３４を油圧圧縮機の本体３２から離れた下方へ落下させるおそれがない。
【図面の簡単な説明】
【００１６】
【図１】本発明に係る油圧圧縮機とこれに接続されたダイス操作装置の正面図である。
【図２】下部ダイス操作装置の正面図である。
【図３】下部ダイス操作装置の側面図である。
【図４】下部ダイス操作装置の使用状態の斜視図である。
【図５】上部ダイス操作装置の正面図である。
【図６】上部ダイス操作装置の斜視図である。
【符号の説明】
【００１７】
１    下部ダイス操作装置
２    上部ダイス操作装置
３    ワイヤ
４    ワイヤ
５    ベースプレート
６    ベルト
７    バックル
８    取手
９    押圧プレート
９ａ  当接面
９ｂ  上面
９ｃ  ガイド孔
９ｄ  ガイド突片
１０  アーム
１０ａ  直線部
１０ｂ  係合部
１０ｃ  筒状部
１１    アーム
１１ａ  直線部
１１ｂ  係合部
１１ｃ  支持杆部
１２    挟持ばね
１３    圧接ばね
１４    リンクプレート
１５    ハンドル
３１    油圧圧縮機
３２    圧縮機の本体
３３    下部ダイス
３３ａ  型溝
３４    上部ダイス
３４ａ  型溝
３５    油圧シリンダ
３６    支持壁
３７    顎部
３８    ダイスゲート
【図１】
0005235463.tif 000002
【図２】
0005235463.tif 000003
【図３】
0005235463.tif 000004
【図４】
0005235463.tif 000005
【図５】
0005235463.tif 000006
【図６】
0005235463.tif 000007